(57)【要約】【課題】筆記する直前にペン先の向きを目視により確認する必要がなく、ペン先を露出させた後、即座に筆記使用することができるようにする。【解決手段】  本発明の筆記具１は、軸筒２の一端部にペン先３を備える。ペン先３の先端部がチゼル状または偏平状を有する。ペン先３の先端部の頂面に細長の筆記面３１を有する。軸筒２の一端部外面に、軸筒２の把持によりペン先３の向きを識別する異形状のペン先向き識別部４を形成する。ペン先３側から軸筒２を見たとき、ペン先３の筆記面３１の長径方向に沿って延びる仮想線上に、前記ペン先向き識別部４が位置する。ペン先向き識別部４は、例えば、凸部４１（クリップ）または凹部からなる。【選択図】  図２
2005297231.tif 000002
【特許請求の範囲】
【請求項１】
軸筒の一端部にペン先を備え、前記ペン先の先端部がチゼル状または偏平状を有し、前記ペン先の先端部の頂面に細長の筆記面を有する筆記具であって、
前記軸筒の一端部外面に、前記軸筒の把持により前記ペン先の向きを識別する異形状のペン先向き識別部を形成したことを特徴とする筆記具。
【請求項２】
ペン先側から軸筒を見たとき、前記ペン先の筆記面の長径方向に沿って延びる仮想線上に、前記ペン先向き識別部が位置してなる請求項１記載の筆記具。
【請求項３】
前記筆記面を軸線に対して非垂直面に形成し、前記筆記面の両端に鋭角端部と鈍角端部を設け、前記鋭角端部側に前記ペン先向き識別部が位置してなる請求項２記載の筆記具。
【請求項４】
前記ペン先向き識別部が凸部である請求項１、２または３記載の筆記具。
【請求項５】
前記ペン先向き識別部が凹部である請求項１、２または３記載の筆記具。
【請求項６】
前記凸部がクリップである請求項４記載の筆記具。
【請求項７】
前記軸筒の他端部に他のペン先を設けた請求項１乃至６のいずれか一つに記載の筆記具。
【発明の詳細な説明】
【技術分野】
【０００１】
本発明は、筆記具に関する。詳細には、先端部がチゼル状または偏平状のペン先を有する筆記具に関する。
【背景技術】
【０００２】
従来、先端部がチゼル状または偏平状のペン先を有する筆記具として、蛍光インキによって文字の周囲を塗りつぶすラインマーカーが広く知られている。（例えば特許文献１、２）
【特許文献１】特開２００１−１８５７５号公報
【特許文献２】特開２０００−５２６８２号公報
【発明の開示】
【発明が解決しようとする課題】
【０００３】
前記従来の筆記具では、ユーザーは、筆記する直前に、ペン先の向きを目視により確認しながら、軸筒の把持位置を回転により変え、所望する筆跡幅が得られるよう、筆記方向に対するペン先の向きを調節することを余儀なくされる。そのため、前記従来の筆記具では、キャップの取り外し等によってペン先を露出させた後、即座に筆記使用することが困難である。
【０００４】
本発明は前記従来の問題点を解決するものであって、筆記する直前にペン先の向きを目視により確認する必要がなく、ペン先を露出させた後、即座に筆記使用することができる筆記具を提供しようとするものである。
【課題を解決するための手段】
【０００５】
本発明筆記具は、以下の（請求項１）から（請求項７）の要件を特徴とする。
【０００６】
（請求項１）軸筒の一端部にペン先を備え、前記ペン先の先端部がチゼル状または偏平状を有し、前記ペン先の先端部の頂面に細長の筆記面を有する筆記具であって、前記軸筒の一端部外面に、前記軸筒の把持により前記ペン先の向きを識別する異形状のペン先向き識別部を形成したことを特徴とする筆記具。
【０００７】
（請求項２）ペン先側から軸筒を見たとき、前記ペン先の筆記面の長径方向に沿って延びる仮想線上に、前記ペン先向き識別部が位置してなる請求項１記載の筆記具。
【０００８】
（請求項３）前記筆記面を軸線に対して非垂直面に形成し、前記筆記面の両端に鋭角端部と鈍角端部を設け、前記鋭角端部側に前記ペン先向き識別部が位置してなる請求項２記載の筆記具。
【０００９】
（請求項４）前記ペン先向き識別部が凸部である請求項１、２または３記載の筆記具。
【００１０】
（請求項５）前記ペン先向き識別部が凹部である請求項１、２または３記載の筆記具。
【００１１】
（請求項６）前記凸部がクリップである請求項４記載の筆記具。
【００１２】
（請求項７）前記軸筒の他端部に他のペン先を設けた請求項１乃至６のいずれか一つに記載の筆記具。
【発明の効果】
【００１３】
請求項１の筆記具は、筆記する直前に、ペン先の向きを目視により確認する必要がなく、軸筒の把持によりペン先の向きを識別でき、ペン先を露出させた後、即座に筆記使用することができる。
【００１４】
請求項２の筆記具は、請求項１の効果に加え、ペン先を露出させた後、即座に、広幅筆記のための把持状態にすることができるとともに、広幅筆記の際の安定した軸筒の把持が可能となる。
【００１５】
請求項３の筆記具は、請求項１または２の効果に加え、使用頻度の高いペン先の鋭角端部を素早く識別できる。
【００１６】
請求項４の筆記具は、請求項１、２または３の効果に加え、軸筒の一端部外面を把持した際に、凸部に人指し指等を載せたり、凸部を親指と人さし指等で挟持することによって、一層迅速なペン先の向きの識別が可能となる。
【００１７】
請求項５の筆記具は、請求項１、２または３の効果に加え、軸筒の一端部外面を把持した際に、凹部に人指し指等を載せることによって、より一層迅速なペン先の向きの識別が可能となる。
【００１８】
請求項６の筆記具は、請求項４の効果に加え、凸部が、ポケット等の被挟持物を挟持できるクリップ機能を備えることができる。
【００１９】
請求項７の筆記具は、請求項１乃至６の効果に加え、両端にペン先を備えた両頭式筆記具を得ることができる。
【発明を実施するための最良の形態】
【００２０】
本発明を実施するための最良の形態を説明する。
【００２１】
本発明の筆記具１は、軸筒２の一端部にペン先３を備え、前記ペン先３の先端部がチゼル状または偏平状を有し、前記ペン先３の先端部の頂面に細長の筆記面３１を有する筆記具であって、前記軸筒２の一端部外面に、軸筒２の把持によりペン先３の向きを識別する異形状のペン先向き識別部４を形成したことを要件とする。
【００２２】
前記筆記具１の軸筒２の一端部外面を把持した際、軸筒２外面の異形状のペン先向き識別部４を指の感触により確認し、ペン先向きを容易に識別できる。そのため、キャップ９の取り外し等によりペン先３を外部に露出させた後、ペン先３を目視により確認する必要がなく、即座に筆記使用することができる。
【００２３】
前記ペン先３の筆記面３１は、筆記時、紙面等の被筆記面３１に細長状に接触し、通常、筆記面３１の長径方向と交差する方向に被筆記面上を移動させることにより、一定幅の筆跡が得られる。尚、前記ペン先３は、軸筒２の一端部に直接取り付けてもよいし、軸筒２の一端部に筒体６等の別部材を介して取り付けてもよい。
【００２４】
前記異形状のペン先向き識別部４は、ペン先３側から軸筒２を見たとき、前記ペン先３の筆記面３１の長径方向に沿って延びる仮想線Ｐ上に位置してなることが好ましい。それにより、容易に広幅筆記用の把持ができ、広幅筆記を即座に開始できるとともに、広幅筆記の際の軸筒２の回転を抑えた安定した軸筒２の把持が可能となる。前記広幅筆記とは、ペン先３を筆記面３１の長径方向と略直角の方向に被筆記面３１上を移動させることにより、広幅の筆跡が得られるものである。
【００２５】
前記ペン先３の筆記面３１は、軸線に対して垂直面であってもよいが、軸線に対して非垂直面（即ち傾斜面）に形成し、前記筆記面３１の両端に鋭角端部３２と鈍角端部３３を設けることが好ましい。それにより、広幅の筆跡を描く際に、筆記具１を被筆記面３１に対して垂直に立てる必要がなく、筆記具１を被筆記面３１に対して傾けて把持することができ、ユーザーに安定した把持を可能にさせる。
【００２６】
また、前記ペン先３の鋭角端部３２側に前記ペン先向き識別部４を位置させることが好ましい。それにより、使用頻度の高いペン先３の鋭角端部３２を素早く識別できる。
【００２７】
前記異形状のペン先向き識別部４は、軸筒２外周面の他の部分と異なる形状を有する部分であり、具体的には、凸部４１（図３、図６）または凹部４２（図７、図８）が好ましい。前記ペン先向き識別部４は、軸筒２の一端部外面に一体に形成してもよいし、軸筒２の一端部外面に別部材の取り付けにより形成してもよい。
【００２８】
前記凸部４１は、軸筒２の他の外周面より突出した部分であり、例えば、軸筒２が円筒状の場合、前記凸部４１は、軸筒２の他の円周状外周面より突出した部分である。前記凸部４１は、指との良好な接触が得られる点で、軸方向に延びるリブが好ましく、特に、前記凸部４１は、ポケット等の被挟持物に挟持可能なクリップが好ましい。
【００２９】
前記凹部４２は、軸筒２の他の外周面より凹んだ部分であり、例えば、軸筒２が円筒状の場合、前記凹部４２は、軸筒２の他の円周状外周面より凹んだ部分である。
【００３０】
前記筆記具１において、一端部にペン先３を備えた軸筒２の他端部に他のペン先５を設けることが好ましい。それにより、両端にペン先を備えた両頭式筆記具を得ることができる。前記他端部に設ける他のペン先５は、一端部に設けたペン先３と同様（即ちチゼル状または偏平状のペン先）であってもよいが、一端部に設けたペン先３と異なるペン先（例えば、ボールペンペン先、シャープペンシルペン先、万年筆ペン先、小径棒状の繊維ペン先等）が好ましい。
【実施例】
【００３１】
図１乃至図５に本発明の一実施例を示す。本実施例の筆記具１は、主に、円筒状の軸筒２と、軸筒２の一端部に設けたペン先３と、軸筒２の他端部に設けた他のペン先５と、軸筒２の一端部外面（即ちペン先３側外面）に設けたクリップ４１（凸部）とからなる両頭式筆記具である。
【００３２】
前記軸筒２の一端部に設けたペン先３は、繊維加工体または多孔質体からなり、先端部がチゼル状（ナイフカット状）に研削される。前記ペン先３は、先端部の頂面に細長の筆記面３１を有する。前記筆記面３１は、軸線に対して非垂直面に形成されるとともに、前記筆記面３１の両端に、鋭角端部３２と鈍角端部３３が形成される。前記ペン先３の後端部は、軸筒２内部のインキ吸蔵体８（例えば、繊維加工体または多孔質体）と接続され、インキ吸蔵体８内に含浸されたインキが前記ペン先３に供給される。前記他端部の他のペン先５は、ボールペンペン先、または小径棒状の繊維ペン先が採用される。
【００３３】
本実施例では、図５に示すように、前記インキ吸蔵体８は、筒体６内に収容される。前記筒体６は、一端部に前記ペン先３が取り付けられ、他端部に尾栓７が固着される。前記筒体６の外面には、鍔部６１が形成される。前記筒体６は、軸筒２の一端部の開口部に挿入され、筒体６の外面が軸筒２の内面と着脱自在に嵌着される。それとともに、前記鍔部６１が軸筒２の一端部と当接され、筒体６のペン先３側が軸筒２外面より露出される。即ち、ペン先３は、軸筒２の一端部に筒体６を介して取り付けられる。また、前記筒体６のペン先３側外面には、キャップ９が着脱自在に取り付けられる。
【００３４】
前記クリップ４１は、軸方向に延びるリブ状の凸部からなり、前記クリップ４１が、軸筒２の一端部のペン先３を使用する際のペン先向き識別部４となる。前記クリップ４１は、ペン先３側から軸筒２を見たとき、図３に示すように、前記ペン先３の筆記面３１の長径方向に沿って延びる仮想線Ｐ上に位置される。それにより、容易に広幅筆記用の把持ができ、キャップ９を取り外した後、即座に広幅筆記が開始できるとともに、広幅筆記の際の安定した軸筒２の把持が可能となる。さらに、前記クリップ４１は、前記ペン先３の鈍角端部３３側でなく、前記ペン先３の鋭角端部３２側に位置される。それにより、使用頻度の高いペン先３の鋭角端部３２側を素早く識別できる。
【００３５】
図６乃至図８は、ペン先向き識別部４の変形例を示すものであり、他の構成は、図１乃至図５の構成と同様である。
【００３６】
図６に示す実施例は、ペン先向き識別部４が、クリップ機能を有しない軸方向に延びるリブ状の凸部４１からなる。前記凸部４１は、図３同様、ペン先３側から軸筒２を見たとき、前記ペン先３の筆記面３１の長径方向に沿って延びる仮想線Ｐ上に位置されるとともに、前記凸部４１は前記ペン先３の鋭角端部３２側に位置される。
【００３７】
図７に示す実施例は、ペン先向き識別部４が円弧状に凹んだ凹部４２からなる。前記凹部４２は、図３同様、ペン先３側から軸筒２を見たとき、前記ペン先３の筆記面３１の長径方向に沿って延びる仮想線Ｐ上に位置されるとともに、前記凹部４２は前記ペン先３の鋭角端部３２側に位置される。
【００３８】
図８に示す実施例は、ペン先向き識別部４が平面状に切り欠かれた凹部４２からなる。前記凹部４２は、図３同様、ペン先３側から軸筒２を見たとき、前記ペン先３の筆記面３１の長径方向に沿って延びる仮想線Ｐ上に位置されるとともに、前記凹部４２は前記ペン先３の鋭角端部３２側に位置される。
【図面の簡単な説明】
【００３９】
【図１】本発明実施例の全体を示す正面図である。
【図２】図１の要部拡大正面図である。
【図３】図２のペン先側から見た図である。
【図４】図２のクリップ側から見た図である。
【図５】キャップ装着状態の図２の縦断面図である。
【図６】ペン先向き識別部の他の実施例のペン先側から見た図である。
【図７】ペン先向き識別部の他の実施例のペン先側から見た図である。
【図８】ペン先向き識別部の他の実施例のペン先側から見た図である。
【符号の説明】
【００４０】
１  筆記具
２  軸筒
３  ペン先
３１  筆記面
３２  鋭角端部
３３  鈍角端部
４  ペン先向き識別部
４１  凸部（クリップ）
４２  凹部
５    他のペン先
６  筒体
６１  鍔部
７  尾栓
８  インキ吸蔵体
９  キャップ
Ｐ  仮想線
【図１】
2005297231.tif 000003
【図２】
2005297231.tif 000004
【図３】
2005297231.tif 000005
【図４】
2005297231.tif 000006
【図５】
2005297231.tif 000007
【図６】
2005297231.tif 000008
【図７】
2005297231.tif 000009
【図８】
2005297231.tif 000010